(57)【要約】      （修正有）【課題】密度の低い壁構造への取付けに適用する強化インナープレート付きの壁掛けラック構造を提供する。【解決手段】縦向きに伸ばしたラック体形態に設けられ、表側１１と裏側１２を有する縦ラック部１０が備わり、該表側は物置ラック取付部１３、裏側は掛組部が設けられており、該縦ラック部にある物置ラック取付部に取り付けまたは結合するための物置ラック２０が備わり、縦ラック部に対応の縦向きに伸ばした形態に設けられ、一の壁寄り面３１と一の縦ラック部取付面を有する強化インナープレート３０が備わり、該壁寄り面は、面状で、取り付けようとする壁掛けラックの壁面に寄り付くように設けられ、また、該壁寄り面に取付用位置決め孔、該縦ラック部取付面に掛組合せ部３４が設けられることによって、縦ラック部にある掛組部の掛持ち、組合せに供する。【選択図】図１
0003161274.tif 000002
【実用新案登録請求の範囲】
【請求項１】
縦向きに伸ばしたラック体に設けられた、少なくとも一つの縦ラック部１０が備わり、該縦ラック部１０は、表側１１と裏側１２があり、該表側１１には物置ラック取付部１３、該裏側１２には掛組部１４が設けられており、
該縦ラック部１０にある物置ラック取付部１３に取り付けまたは結合するための、少なくとも一つの物置ラック２０が備わり、該物置ラック２０は、物品を置くのに使用されるが、
該縦ラック部１０に合わせて設けられた縦向きに伸ばした、少なくとも一つの強化インナープレート３０が備わり、該強化インナープレート３０は、一の壁寄り面３１と一の縦ラック部取付面３２があり、該壁寄り面３１は面状で、取り付けようとする該壁掛けラックＡの壁面に寄り付くように設けられ、また、該壁寄り面３１に取付用位置決め孔３３、該縦ラック部取付面３２に掛組合せ部３４が設けられることによって、該縦ラック部１０の裏側１２にある掛組部１４の掛持ち、組合せに供するように設けられていることを特徴とする強化インナープレート付きの壁掛けラック構造。
【請求項２】
該縦ラック部１０に設けられた掛組部（１４、１４Ｂ、１４Ｃ）、及び強化インナープレート３０に設けられた掛組合せ部（３４、３４Ｂ、３４Ｃ）は、以下のいずれかの実施形態、
（１）仕切り縁とフック体とが相互に組合せる形態、
（２）フック体とフック体とが相互に組合せる形態、
（３）バー体とガイド溝とが相互に組合せる形態
の一つに該当することを特徴とする請求項１に記載の強化インナープレート付きの壁掛けラック構造。
【請求項３】
該強化インナープレート３０の縦ラック部取付面３２には、一体成形された補強リブ縁３５、３５Ｂが設けられていることを特徴とする請求項１に記載の強化インナープレート付きの壁掛けラック構造。
【請求項４】
該強化インナープレート３０の壁寄り面３１にある対向した両側にくねった縁部３６、該縦ラック部１０の裏側１２にある対向した両側にくねった側縁１５が形成されて、該強化インナープレート３０のくねった縁部３６の外側に対応されるように設けられていることを特徴とする請求項１に記載の強化インナープレート付きの壁掛けラック構造。
【請求項５】
該縦ラック部１０のくねった側縁１５及び強化インナープレート３０のくねった縁部３６とは更に、位置対称する取付用通し孔１５０、３６０、また位置決めユニット５０が設けられており、該位置決めユニット５０が該取付用通し孔１５０、３６０を貫通することによって、該縦ラック部１０が強化インナープレート３０に組み合わされ、固定されるように設けられていることを特徴とする請求項４に記載の強化インナープレート付きの壁掛けラック構造。
【考案の詳細な説明】
【技術分野】
【０００１】
本考案は、壁掛けラック商品構造に関わり、特に強化インナープレート付きのオリジナルな壁掛けラック形態設計に関する。  
【背景技術】
【０００２】
壁掛けラック商品は、床のスペースがかからず、幾つかの使用環境に非常に適し、使いやすいものになるため、家具市場でずっと一定の位置（シェア）を占めている。
【０００３】
しかし、従来の壁掛けラック商品は応用上、依然として、幾つか解決すべき問題点や欠点が残されている。
【０００４】
従来の壁掛けラック構造は設計上、通常は壁面に取り付け、固定するための、少なくとも一の縦ラック部があり、該縦ラック部の表側は、物置ラック部を取り付けるために設けられる。物置ラック部の高さを上下に調整できるように、該縦ラック部に通常、上下に隔てられた掛持ち位置決め孔が設けられる。また、掛持たせるための嵌込みスペース及び縦ラック部全体の曲がり強さを向上させるために、縦ラック部は通常、ラック面を前へ高く持ち上げるよう、コの字形の断面形態に設けられることになる。それに、従来の壁掛けラックは、該縦ラック部が壁面に締め付けられるため、該縦ラック部のラック面にも取付用位置決め孔が設けられる。しかし、このような従来の壁掛けラックを、わりと硬いコンクリートの壁面、または木製の壁面に取り付け、固定するのは大丈夫だが、それを密度の低い壁面（例えば、防火建材）に取り付け、固定するとき、このような壁面にしっかりと打ち込めるように作られた釘がまっすぐな形に作られず、多爪で交差した方向に伸ばした形態になる。そのうえ、従来の壁掛けラックのラック側から壁まで、隔てられた空間があるため、打込み用釘をその隔てられた空間を通らしてから、壁面へ打ち込まれるようになる。そうすると、有効に打ち込める深さが足りず、該打込み用釘による位置決めの強さが顕著に低下することで、従来の壁掛けラックは、密度の低い壁面にしっかりと取り付けることが難しいという厳しい問題点がある。また、このような密度の低い壁面は防火建材であるものが多く、それが現在と将来の建材発展の傾向にもなるということで、壁掛けラック商品の応用に大きく制限されてしまうことは関連業界が重要視すべき問題点となる。
【０００５】
それゆえ、上述した従来の壁掛けラック構造に存在する問題点について、より理想的で実用性のある解決手段を提供するオリジナル構造を開発することは使用者が望むことであり、関連業者がそれを研究開発して、突破するために努力すべき目標と方向でもある。
【０００６】
それを鑑みて、考案者が長年の間、それに関する製品の製造、開発と設計の経験を持っており、上述の目標について詳しく設計、慎重に評価したうえ、ようやく実用性のある本考案を得たわけである。
【考案の概要】
【考案が解決しようとする課題】
【０００７】
本考案は、強化インナープレート付きの壁掛けラック構造を提供することを目的とし、解決しようとする課題は、従来の壁掛けラックが密度の低い壁面に安定的に取り付けるのが難しい、という問題点や欠点を改善、突破することである。
【課題を解決するための手段】
【０００８】
本考案の課題を解決するための手段つまり技術特徴として、縦向きに伸ばした形態のラック体に設けられ、表側と裏側を有する縦ラック部が備わり、該表側は物置ラック取付部、裏側は掛組部が設けられており、該縦ラック部にある物置ラック取付部に取り付けまたは結合するための物置ラックが備わり、縦ラック部に対応の縦向きに伸ばした形態に設けられ、一の壁寄り面と一の縦ラック部取付面を有する強化インナープレートが備わり、該壁寄り面は、面状で、取り付けようとする壁掛けラックの壁面に寄り付くように、つまり平行をなして密接可能に寄り添うように設けられ、また、該壁寄り面に取付用位置決め孔、該縦ラック部取付面に掛組合せ部が設けられることによって、縦ラック部にある掛組部の掛持ち、組合せに供するように設けられていることを特徴とする該壁掛けラック構造である。このようなオリジナルな設計の本考案は、背景技術に比べると、該壁掛けラックは、該強化インナープレートで壁面に寄り付き、接触することで、密度の低い壁面に適用の打込み用釘でも、それに十分に深く打ち込まれて、壁掛けラックが確実でかつ安定した状態に取り付けられるため、本考案の壁掛けラックは特に、密度の低い構造（例えば、防火壁材）の壁面への取り付けに適用する、実用性、新規性、進歩性があるものである。
【考案の効果】
【０００９】
本考案による効果向上の事実は下記の通り。
【００１０】
本考案に掲示された  “強化インナープレート付きの壁掛けラック構造”  は主に、該縦ラック部、物置ラックと強化インナープレートを備えてなるオリジナル設計であり、本考案は［背景技術］の従来の構造に比べると、該壁掛けラックは、該強化インナープレートで壁面に寄り付き、接触することで、密度の低い壁面に適用の打込み用釘でも、それに十分に深く打ち込まれて、壁掛けラックが確実でかつ安定した状態に取り付けられるということで、本考案の壁掛けラックは特に、密度の低い構造（例えば、防火壁材）の壁への取り付けに適用する、実用性、進歩性があり、しかも、現在の建材発展の傾向や需要に一致している。
【００１１】
本考案により生じられた新しい効果は下記の通り。
１．  強化インナープレートの縦ラック部取付面には更に、一体成形された補強リブ縁の構造設計が設けられており、それにより、該強化インナープレートの構造強度がより強化され、よりよい曲がり強さが得られること。
２．  該強化インナープレートの縦ラック部取付面の対称した両側には更に、くねった縁部の構造設計が形成されており、それにより、該強化インナープレートの構造強度がより強化され、よりよい曲がり強さが得られること。
３．  該縦ラック部のくねった（壁寄り面（部）に対して垂直をなしてＬ字状に折り曲げられた）側縁及び強化インナープレートのくねった（裏側（部）に対して垂直をなしてＬ字状に折り曲げられた）縁部には位置対称する取付用通し孔が設けられ、位置決めユニットが該取付用通し孔を貫通するという構造設計により、該縦ラック部が強化インナープレートに組み合わされ、固定されるようになり、外力で上へずれてしまう心配はないこと。
上述の実施例に掲示されたのは、本考案を具体的に説明するために用いられる内容であり、文中で特定な専門用語で説明してきたが、それらを以って、本考案の実用新案登録請求の範囲を制限してはならず、この分野が分かる者が、本考案のコンセプトや考えを理解したうえ、その変更や改造などを行って、それと同等な効果を得たとしても、それらの変更や改造などはすべて、後述の実用新案登録請求の範囲に含まれるものとする。
【図面の簡単な説明】
【００１２】
【図１】本考案の壁掛けラック構造の好適な実施例の局所分解立体図。
【図２】本考案の縦ラック部と強化インナープレートの局所分解立体図。
【図３】本考案の壁掛けラックの組合せ状態の局所断面図。
【図４】本考案の掛組部と掛組合せ部のもう一つの実施例図。
【図５】本考案の強化インナープレートに補強リブ縁が増設されている実施例図一。
【図６】本考案の強化インナープレートに補強リブ縁が増設されている実施例図二。
【図７】本考案の強化インナープレートに補強リブ縁が増設されている実施例図三。
【図８】本考案における壁掛けラック構造形態のもう一つの実施例の分解立体図。
【図９】本考案における壁掛けラック構造形態の更にもう一つの実施例の組合断面図。
【図１０】本考案の掛組合せ部がＬ  形に設けられている実施例図。
【図１１】本考案の縦ラック部のくねった側縁と強化インナープレートのくねった縁部に取付用通し孔が設けられて、位置決めユニットが穿設、固定されるようになる実施例図。
【図１２】本考案の壁掛けラック全体構造形態のもう一つの実施例図。
【考案を実施するための形態】
【００１３】
図１〜図３に示すのは、本考案の強化インナープレート付きの壁掛けラック構造の好適な実施例であり、これらの実施例は説明に使用されるのみで、実用新案登録請求の際、これらの構造に制限されないものとする。
【００１４】
本考案の壁掛けラック構造Ａは以下の特徴事項を含む。金属ラック体でもよく、縦向きに伸ばしたラック体に設けられた、少なくとも一つの縦ラック部１０が備わり、該縦ラック部１０は、表側（部）１１と裏側（部）１２があり、該表側１１は物置ラック取付部１３、該裏側１２は掛組部１４（図２、３に示す）があり、該物置ラック取付部１３は、上下に所定間隔で隔てられ、分布した複数の長い通し孔で構成してもよく、該掛組部１４の形態は多種類でもよいが、それについて後述する。
【００１５】
該縦ラック部１０にある物置ラック取付部１３に取り付けまたは結合するための、少なくとも一つの物置ラック２０が備わり、該物置ラック２０は、物品を置くのに使用されるが、本実施例の物置ラック２０は、引っ掛け部２１（図３のみに示す）の形成で、該縦ラック部１０にある長い通し孔で構成された物置ラック取付部１３に掛けるようになる。
【００１６】
金属板でもよく、該縦ラック部１０に合わせて設けられた縦向きに伸ばした、少なくとも一つの強化インナープレート３０が備わり該強化インナープレート３０は、一の壁寄り面３１と一の縦ラック部取付面３２があり、該壁寄り面３１は面状で、取り付けようとする該壁掛けラックＡの壁面に寄り付く（平行をなして密接可能に寄り添う）ように設けられる。また、該壁寄り面３１には、取付用位置決めユニット４０（例えば、スチール釘、ネジ、打込み用釘など）の穿設、固定に供されるために、適当な数量のある取付用位置決め孔３３が設けられ、該縦ラック部取付面３２には、該縦ラック部１０の裏側１２にある掛組部１４の掛持ち、組合せに供される掛組合せ部３４が設けられている。
【００１７】
該縦ラック部１０に設けられた掛組部１４、及び強化インナープレート３０に設けられた掛組合せ部３４は、以下のいずれかの実施形態に該当しても良い。つまり、
（１）図２、図３に示す掛組部１４と掛組合せ部３４のように、仕切り縁とフック体とが相互に組合せる形態、
（２）図４に示す掛組部１４Ｂと掛組合せ部３４Ｂのように、フック体とフック体とが相互に組合せる形態、
（３）図８、図９に示す掛組部１４Ｃと掛組合せ部３４Ｃのように、バー体とガイド溝とが相互に組合せる形態の一つに該当してもよい。この実施例にあっては、該ガイド溝の掛組合せ部３４Ｃは斜め曲がった形に、または図１０に示す掛組合せ部３４Ｄのような  “Ｌ”形に設けられてもよい。
【００１８】
図５〜図７に示すように、該強化インナープレート３０の縦ラック部取付面３２には更に、一体成形された補強リブ縁３５、３５Ｂが設けられてもよいが、該補強リブ縁３５を設けて、該強化インナープレート３０の構造強度が更に強化され、よりよい曲がり強さが得られる。該補強リブ縁３５の具体的設置は、図５に示すように、間隔の置かれた複数形態、または図６に示す補強リブ縁３５のように、単一形態に設けられてもよいが、該補強リブ縁の断面形態はまた、多種な形態に設けられるが、図５、図６に示す補強リブ縁３５のような“Ｖ”形に、図７に示す補強リブ縁３５Ｂのようなコの字形に設けられてもよいが、このような断面形態によって、該強化インナープレート３０構造強度への向上につながる。
【００１９】
また、図８、図９に示すように、該強化インナープレート３０の縦ラック部取付面３２における対称した両側には更に、くねった縁部３６が形成されるが、該縦ラック部１０の裏側１２に対称した両側には、くねった（裏側１２に対して垂直をなしてＬ字状に折り曲げられた）側縁１５が形成されて、強化インナープレート３０のくねった（壁寄り面３１に対して垂直をなしてＬ字状に折り曲げられた）縁部３６の外側に対応されることになり、そして、該縦ラック部１０のくねった側縁１５及び強化インナープレート３０のくねった縁部３６には、位置対称する取付用通し孔１５０、３６０、また位置決めユニット５０が設けられる。該位置決めユニット５０が該取付用通し孔１５０、３６０を貫通する（詳しくは図１１に示す）ことによって、該縦ラック部１０が強化インナープレート３０に組み合わされ、固定されるようになり、外力で上へずれてしまう心配がないが、該位置決めユニット５０の具体的形態は、ボルト、支持ピン、ピンリンクなどの実施形態でもよい。
【００２０】
図１２に示すのは、該壁掛けラックＡ構造全体のもう一つの実施例図であり、図１に示す実施例と異なっていることは、該縦ラック部１０の数が増え、及び物置ラック２０の形態が変ったところである。
【符号の説明】
【００２１】
Ａ壁掛けラック
１０縦ラック部
１１表側
１２裏側
１３物置ラック取付部
１４、１４Ｂ、１４Ｃ掛組部
１５くねった側縁
１５０取付用通し孔
２０物置ラック
２１引っ掛け部
３０強化インナープレート
３１壁寄り面
３２縦ラック部取付面
３３取付用位置決め孔
３４、３４Ｂ、３４Ｃ、３４Ｄ掛組合せ部
３５、３５Ｂ補強リブ縁
３６くねった縁部
３６０取付用通し孔
４０取付用位置決めユニット
５０位置決めユニット
【図１】
0003161274.tif 000003
【図２】
0003161274.tif 000004
【図３】
0003161274.tif 000005
【図４】
0003161274.tif 000006
【図５】
0003161274.tif 000007
【図６】
0003161274.tif 000008
【図７】
0003161274.tif 000009
【図８】
0003161274.tif 000010
【図９】
0003161274.tif 000011
【図１０】
0003161274.tif 000012
【図１１】
0003161274.tif 000013
【図１２】
0003161274.tif 000014
【手続補正書】
【提出日】平成22年5月26日(2010.5.26)
【手続補正１】
【補正対象書類名】実用新案登録請求の範囲
【補正対象項目名】全文
【補正方法】変更
【補正の内容】
【実用新案登録請求の範囲】
【請求項１】
縦向きに伸ばしたラック体に設けられた、少なくとも一つの縦ラック部１０が備わり、該縦ラック部１０は、表側１１と裏側１２があり、該表側１１には物置ラック取付部１３、該裏側１２には掛組部１４が設けられており、
該縦ラック部１０にある物置ラック取付部１３に取り付けまたは結合するための、少なくとも一つの物置ラック２０が備わり、該物置ラック２０は、物品を置くのに使用されるが、
該縦ラック部１０に合わせて設けられた縦向きに伸ばした、少なくとも一つの強化インナープレート３０が備わり、該強化インナープレート３０は、一の壁寄り面３１と一の縦ラック部取付面３２があり、該壁寄り面３１は面状で、取り付けようとする壁掛けラックＡの壁面に寄り付くように設けられ、また、該壁寄り面３１に取付用位置決め孔３３、該縦ラック部取付面３２に掛組合せ部３４が設けられることによって、該縦ラック部１０の裏側１２にある掛組部１４の掛持ち、組合せに供するように設けられていることを特徴とする強化インナープレート付きの壁掛けラック構造。
【請求項２】
該縦ラック部１０に設けられた掛組部（１４、１４Ｂ、１４Ｃ）、及び強化インナープレート３０に設けられた掛組合せ部（３４、３４Ｂ、３４Ｃ）は、以下のいずれかの実施形態、
（１）仕切り縁とフック体とが相互に組合せる形態、
（２）フック体とフック体とが相互に組合せる形態、
（３）バー体とガイド溝とが相互に組合せる形態
の一つに該当することを特徴とする請求項１に記載の強化インナープレート付きの壁掛けラック構造。
【請求項３】
該強化インナープレート３０の縦ラック部取付面３２には、一体成形された補強リブ縁３５、３５Ｂが設けられていることを特徴とする請求項１に記載の強化インナープレート付きの壁掛けラック構造。
【請求項４】
該強化インナープレート３０の壁寄り面３１にある対向した両側にくねった縁部３６、該縦ラック部１０の裏側１２にある対向した両側にくねった側縁１５が形成されて、該強化インナープレート３０のくねった縁部３６の外側に対応されるように設けられていることを特徴とする請求項１に記載の強化インナープレート付きの壁掛けラック構造。
【請求項５】
該縦ラック部１０のくねった側縁１５及び強化インナープレート３０のくねった縁部３６とは更に、位置対称する取付用通し孔１５０、３６０、また位置決めユニット５０が設けられており、該位置決めユニット５０が該取付用通し孔１５０、３６０を貫通することによって、該縦ラック部１０が強化インナープレート３０に組み合わされ、固定されるように設けられていることを特徴とする請求項４に記載の強化インナープレート付きの壁掛けラック構造。